(57)【要約】【課題】  誰もが身近にある材料で容易に作成することができ、かつ、装飾性に優れたカードケース及びブックカバーと、それらの作成方法、さらには、それらの作成に用いる作成用シート状材料を提供することを課題とする。【解決手段】  シート状材料の下部を谷折り山折りすることによって１又は複数のポケットを形成し、それらポケットを形成した状態で、シート状材料の側端部を反対側に折り返して側部折り返し部を形成し、さらに、シート状材料の上半分を反対側に折り返すとともに、その先端部を前記側部折り返し部と係合させて袋状部を形成し、次に、シート状材料の左右どちらかの半分を反対側に折り返して、その先端部を前記袋状部に差し込むことによってシート状材料から作成されるカードケース及びブックカバー、それらの作成方法、並びにそれらの作成用シート状材料を提供することによって、上記課題を解決する。【選択図】  図１
2018039131.tif 000002
【特許請求の範囲】
【請求項１】
シート状材料を折って作成されるカードケースであって、
前記シート状材料の下部を、１本又は互いに平行な２本以上のポケット底部谷折り線に沿って谷折りし、前記ポケット底部谷折り線が２本以上設定されている場合には、前記谷折りに加えて、前記ポケット底部谷折り線と平行で、隣接する２本のポケット底部谷折り線の間にそれぞれ１本設定されているポケット頂部山折り線に沿って山折りすることによって形成された１又は２以上のポケットと、
１又は２以上の前記ポケットが形成された状態で、前記シート状材料の左右いずれか一方の側端部が、前記ポケットの側端部を含めて、前記ポケット底部谷折り線と直交する第１側部山折り線に沿って山折りされ反対側に折り返された側部折り返し部を備え、
１又は２以上の前記ポケットと前記側部折り返し部を備えた状態で、前記ポケット底部谷折り線に平行な中央横山折り線に沿って、前記シート状材料の上部が山折りされて反対側に折り返されるとともに、反対側に折り返された前記シート状材料の先端部であって、前記シート状材料の下端部よりも下方に飛び出した部分が、前記中央横山折り線と平行な上部山折り線に沿ってさらに山折りされ、その山折りされた先端部に位置する前記側部折り返し部が、前記シート状材料の下部に位置する前記側部折り返し部と係合する位置に差し込まれて、前記シート状材料の左右何れか一方の側端部に前記側部折り返し部で囲まれた袋状部が形成されており、
さらに、前記袋状部を形成した状態で、前記第１側部山折り線に平行な中央縦山折り線に沿って、前記シート状材料の前記袋状部とは反対側の部分が山折りされて反対側に折り返されるとともに、反対側に折り返された前記シート状材料の側端部であって、前記袋状部よりも側方に飛び出した部分が、前記中央縦山折り線に平行な第２側部山折り線に沿ってさらに山折りされて前記袋状部に挿入されており、
さらに、前記シート状材料の前記第２側部山折り線に沿って山折りされた側端部が前記袋状部に挿入されている状態で、前記シート状材料が、前記中央横山折り線と平行な蓋谷折り線又は蓋山折り線に沿って谷折り又は山折りされて１又は２以上の前記ポケットを覆う蓋部が形成されているカードケース。
【請求項２】
前記シート状材料の下辺に最も近い位置にある前記ポケット底部谷折り線よりもさらに前記シート状材料の下辺に近い位置に、前記ポケット底部谷折り線と平行なポケット頂部山折り線が設定されており、前記シート状材料の下端部が前記ポケット頂部山折り線に沿って山折りされている請求項１記載のカードケース。
【請求項３】
前記ポケットを２つ以上有し、前記ポケットが形成された状態で、前後に隣接する２つのポケット間で、手前側に位置するポケットのポケット頂部山折り線又は前記シート状材料の下辺から当該ポケットのポケット底部谷折り線までの距離が、当該ポケットの前記ポケット底部谷折り線から奥側に位置するポケットのポケット頂部山折り線までの距離よりも短く設定されている請求項１又は２記載のカードケース。
【請求項４】
さらに、前記袋状部を形成した状態で、前記中央縦山折り線よりも前記袋状部側に位置し、前記中央縦山折り線に平行な第１マチ部山折り線に沿った山折りと、前記中央縦山折り線と前記第１マチ部山折り線との間に位置し、前記中央縦山折り線に平行な第１マチ部谷折り線に沿った谷折りと、前記中央縦山折り線に沿った山折りによって形成される第１マチ部と、前記第２側部山折り線よりも前記中央縦山折り線側に位置し、前記第２側部山折り線に平行な第２マチ部山折り線に沿った山折りと、前記第２側部山折り線と前記第２マチ部山折り線との間に位置し、前記第２側部山折り線に平行な第２マチ部谷折り線に沿った谷折りと、前記第２側部山折り線に沿った山折りによって形成される第２マチ部とを備え、前記第１マチ部及び前記第２マチ部が形成された状態で、前記シート状材料の側端部であって、前記袋状部よりも側方に飛び出した部分が前記袋状部に挿入されている請求項１〜３のいずれかに記載のカードケース。
【請求項５】
１本又は２本以上の前記ポケット底部谷折り線、前記ポケット底部谷折り線が２本以上存在するときには少なくとも１本の前記ポケット頂部山折り線、前記第１側部山折り線、前記中央横山折り線、前記上部山折り線、前記中央縦山折り線、前記第２側部山折り線、及び前記蓋谷折り線又は前記蓋山折り線が、四角形の内側の所定位置に記載されている請求項１記載のカードケース作成用シート状材料。
【請求項６】
シート状材料を折ることによってカードケースを作成する方法であって、下記工程（Ａ）〜（Ｇ）を含むカードケースの作成方法；
（Ａ）前記シート状材料の下部を、１本又は互いに平行な２本以上のポケット底部谷折り線に沿って谷折りし、前記ポケット底部谷折り線が２本以上設定されている場合には、前記谷折りに加えて、前記ポケット底部谷折り線と平行で、隣接する２本のポケット底部谷折り線の間にそれぞれ１本設定されているポケット頂部山折り線に沿って山折りすることによって、１又は２以上のポケットを形成する工程、
（Ｂ）１又は２以上の前記ポケットが形成された状態で、前記シート状材料の左右いずれか一方の側端部を、前記ポケットの側端部を含めて、前記ポケット底部谷折り線と直交する第１側部山折り線に沿って山折りし、反対側に折り返して側部折り返し部を形成する工程、
（Ｃ）１又は２以上の前記ポケットと前記側部折り返し部を形成した状態で、前記ポケット底部谷折り線に平行な中央横山折り線に沿って、前記シート状材料の上部を山折りし反対側に折り返す工程であって、前記中央横山折り線が、前記中央横山折り線に沿って前記シート状材料の上部を山折りして反対側に折り返したとき、前記シート状材料の先端部が前記シート状材料の下端部よりも下方に飛び出す位置に設定されている工程、
（Ｄ）反対側に折り返された前記シート状材料の先端部であって、前記シート状材料の下端部よりも下方に飛び出した部分を、前記中央横山折り線と平行な上部山折り線に沿ってさらに山折りし、その山折りした先端部に位置する前記側部折り返し部を、前記シート状材料の下部に位置する前記側部折り返し部と係合する位置に差し込み、前記シート状材料の左右何れか一方の側端部に前記側部折り返し部で囲まれた袋状部を形成する工程、
（Ｅ）さらに、前記袋状部が形成された状態で、前記第１側部山折り線に平行な中央縦山折り線に沿って、前記シート状材料の前記袋状部とは反対側の部分を山折りして反対側に折り返す工程であって、前記中央縦山折り線が、前記中央縦山折り線に沿って前記シート状材料の前記袋状部とは反対側の部分を山折りして反対側に折り返したとき、反対側に折り返された前記シート状材料の側端部が前記袋状部より側方に飛び出す位置に設定されている工程、
（Ｆ）反対側に折り返された前記シート状材料の側端部であって、前記袋状部よりも側方に飛び出した部分を、前記中央縦山折り線に平行な第２側部山折り線に沿ってさらに山折りして前記袋状部に挿入する工程、
（Ｇ）前記シート状材料の前記第２側部山折り線に沿って山折りされた側端部が前記袋状部に挿入されている状態で、前記シート状材料を、前記中央横山折り線と平行な蓋谷折り線又は蓋山折り線に沿って谷折り又は山折りし、１又は２以上の前記ポケットを覆う蓋部を形成する工程。
【請求項７】
さらに、下記工程（Ｈ）を含む請求項６記載のカードケースの作成方法；
（Ｈ）前記シート状材料の前記下辺に最も近い位置にある前記ポケット底部谷折り線よりもさらに前記シート状材料の下辺に近い位置に、前記ポケット底部谷折り線と平行なポケット頂部山折り線を設定し、前記シート状材料の下端部を前記ポケット頂部山折り線に沿って山折りする工程。
【請求項８】
前記（Ａ）の工程において、前記ポケット底部谷折り線が２本以上設定されるとともに、隣接する２本のポケット底部谷折り線の間には、前記ポケット底部谷折り線と平行なポケット頂部山折り線がそれぞれ１本ずつ設定されており、前記ポケットが形成されたときに前後に隣接する２つのポケット間で、手前側に位置するポケットの前記ポケット頂部山折り線又は前記シート状材料の下辺から当該ポケットのポケット底部谷折り線までの距離が、当該ポケットの前記ポケット底部谷折り線から奥側に位置するポケットのポケット頂部山折り線までの距離よりも短くなるように、前記ポケット底部谷折り線及び前記ポケット頂部山折り線の位置が設定されている請求項６又は７記載のカードケースの作成方法。
【請求項９】
さらに、前記工程（Ｄ）と（Ｅ）の間に、下記工程（Ｉ）及び（Ｊ）を含む請求項６〜８のいずれかに記載のカードケースの作成方法；
（Ｉ）前記袋状部が形成された状態で、前記中央縦山折り線よりも前記袋状部側に位置し、前記中央縦山折り線に平行な第１マチ部山折り線と、前記中央縦山折り線と前記第１マチ部山折り線との間に位置し、前記中央縦山折り線に平行な第１マチ部谷折り線とに沿って、それぞれ、山折り及び谷折りする工程、
（Ｊ）前記袋状部が形成された状態で、前記第２側部山折り線よりも前記中央縦山折り線側に位置し、前記第２側部山折り線に平行な第２マチ部山折り線と、前記第２側部山折り線と前記第２マチ部山折り線との間に位置し、前記第２側部山折り線に平行な第２マチ部谷折り線とに沿って、それぞれ、山折り及び谷折りする工程。
【請求項１０】
シート状材料を折って作成されるブックカバーであって、
前記シート状材料の下部を、ポケット底部谷折り線に沿って谷折りすることによって形成されたポケットと、
前記ポケットが形成された状態で、前記シート状材料の左右いずれか一方の側端部が、前記ポケットの側端部を含めて、前記ポケット底部谷折り線と直交する第１側部山折り線に沿って山折りされ反対側に折り返された側部折り返し部を備え、
前記ポケットと前記側部折り返し部を備えた状態で、前記シート状材料の上部が、前記ポケット底部谷折り線に平行な中央横山折り線に沿って山折りされて反対側に折り返されるとともに、反対側に折り返された前記シート状材料の先端部であって、前記シート状材料の下端部よりも下方に飛び出した部分が、前記中央横山折り線と平行な上部山折り線に沿ってさらに山折りされ、その山折りされた先端部に位置する前記側部折り返し部が、前記シート状材料の下部に位置する前記側部折り返し部と係合する位置に差し込まれて、前記シート状材料の左右何れか一方の側端部に前記側部折り返し部で囲まれた袋状部が形成されており、
さらに、前記袋状部を形成した状態で、前記第１側部山折り線に平行な中央縦山折り線に沿って、前記シート状材料の前記袋状部とは反対側の部分が山折りされて反対側に折り返されるとともに、反対側に折り返された前記シート状材料の側端部であって、前記袋状部よりも側方に飛び出した部分が、前記中央縦山折り線に平行な第２側部山折り線に沿ってさらに山折りされて前記袋状部に挿入されており、
前記ポケットに本の表表紙又は裏表紙の先端部を挿入して使用されるブックカバー。
【請求項１１】
前記ポケット底部谷折り線よりもさらに前記シート状材料の下辺に近い位置に、前記ポケット底部谷折り線と平行なポケット頂部山折り線が設定されており、前記シート状材料の下端部が前記ポケット頂部山折り線に沿って山折りされている請求項１０記載のブックカバー。
【請求項１２】
さらに、前記ポケット底部谷折り線からカバーすることが想定される本の表表紙、背表紙、裏表紙の横方向長さを加算した長さだけ離れた位置にあり、前記ポケット底部谷折り線と平行な第２ポケット底部谷折り線に沿った谷折りと、前記第２ポケット底部谷折り線に平行で、前記第２ポケット谷折り線を挟んで前記ポケット底部谷折り線と反対側に位置する第２ポケット頂部山折り線に沿った山折りとによって形成される第２ポケットを有し、
前記側部折り返し部が、前記ポケット及び前記第２ポケットが形成された状態で、前記シート状材料の左右いずれか一方の側端部が、前記ポケット及び前記第２ポケットの側端部を含めて、前記ポケット底部谷折り線と直交する第１側部山折り線に沿って山折りされ反対側に折り返された側部折り返し部であり、
前記中央横山折り線が、前記ポケット及び前記第２ポケットが形成された状態で、前記第２ポケット谷折り線よりも前記シート状材料の上辺に近い位置にあり、
前記ポケット及び前記第２ポケットに本の表表紙又は裏表紙の先端部をそれぞれ挿入して使用される請求項１０又は１１記載のブックカバー。
【請求項１３】
前記ポケット底部谷折り線、前記第１側部山折り線、前記中央横山折り線、前記上部山折り線、前記中央縦山折り線、及び前記第２側部山折り線が、四角形の内側の所定位置に記載されている請求項１０記載のブックカバー作成用シート状材料。
【請求項１４】
前記ポケット底部谷折り線、前記第２ポケット底部谷折り線、前記第２ポケット頂部山折り線、前記第１側部山折り線、前記中央横山折り線、前記上部山折り線、前記中央縦山折り線、及び前記第２側部山折り線が、四角形の内側の所定位置に記載されている請求項１２記載のブックカバー作成用シート状材料。
【請求項１５】
シート状材料を折ることによってブックカバーを作成する方法であって、下記工程（ａ）〜（ｆ）を含むブックカバーの作成方法；
（ａ）前記シート状材料の下部を、ポケット底部谷折り線に沿って谷折りすることによってポケットを形成する工程、
（ｂ）前記ポケットが形成された状態で、前記シート状材料の左右いずれか一方の側端部を、前記ポケットの側端部を含めて、前記ポケット底部谷折り線と直交する第１側部山折り線に沿って山折りし、反対側に折り返して側部折り返し部を形成する工程、
（ｃ）前記ポケットと前記側部折り返し部を形成した状態で、前記ポケット底部谷折り線に平行な中央横山折り線に沿って、前記シート状材料の上部を山折りし反対側に折り返す工程であって、前記中央横山折り線が、前記中央横山折り線に沿って前記シート状材料の上部を山折りして反対側に折り返したとき、前記シート状材料の先端部が前記シート状材料の下端部よりも下方に飛び出す位置に設定されている工程、
（ｄ）反対側に折り返された前記シート状材料の先端部であって、前記シート状材料の下端部よりも下方に飛び出した部分を、前記中央横山折り線と平行な上部山折り線に沿ってさらに山折りし、その山折りした先端部に位置する前記側部折り返し部を、前記シート状材料の下部に位置する前記側部折り返し部と係合する位置に差し込み、前記シート状材料の左右何れか一方の側端部に前記側部折り返し部で囲まれた袋状部を形成する工程、
（ｅ）さらに、前記袋状部が形成された状態で、前記第１側部山折り線に平行な中央縦山折り線に沿って、前記シート状材料の前記袋状部とは反対側の部分を山折りして反対側に折り返す工程であって、前記中央縦山折り線が、前記中央縦山折り線に沿って前記シート状材料の前記袋状部とは反対側の部分を山折りして反対側に折り返したとき、反対側に折り返された前記シート状材料の側端部が前記袋状部より側方に飛び出す位置に設定されている工程、
（ｆ）反対側に折り返された前記シート状材料の側端部であって、前記袋状部よりも側方に飛び出した部分を、前記中央縦山折り線に平行な第２側部山折り線に沿ってさらに山折りして前記袋状部に挿入する工程。
【請求項１６】
さらに、下記工程（ｇ）を含む請求項１５記載のブックカバーの作成方法；
（ｇ）前記ポケット底部谷折り線よりもさらに前記シート状材料の前記下辺に近い位置に、前記ポケット底部谷折り線と平行なポケット頂部山折り線を設定し、前記シート状材料の下端部を前記ポケット頂部山折り線に沿って山折りする工程。
【請求項１７】
さらに、前記工程（ａ）と前記工程（ｂ）との間に、
（ｈ）前記シート状材料を、前記ポケット底部谷折り線からカバーすることが想定される本の表表紙、背表紙、裏表紙の横方向長さを加算した長さだけ離れた位置にあり、前記ポケット底部谷折り線と平行な第２ポケット底部谷折り線に沿って谷折りするとともに、前記第２ポケット底部谷折り線に平行で、前記第２ポケット谷折り線を挟んで前記ポケット底部谷折り線と反対側に位置する第２ポケット頂部山折り線に沿って山折りとによって第２ポケットを形成する工程、
を有し、
前記工程（ｂ）において形成される前記側部折り返し部が、前記ポケット及び前記第２ポケットが形成された状態で、前記シート状材料の左右いずれか一方の側端部が、前記ポケット及び前記第２ポケットの側端部を含めて、前記ポケット底部谷折り線と直交する第１側部山折り線に沿って山折りされ反対側に折り返された側部折り返し部であり、
前記工程（ｃ）における前記中央横山折り線が、前記ポケット及び前記第２ポケットと前記側部折り返し部を備えた状態で、前記第２ポケット底部谷折り線よりも前記シート状材料の上辺に近い位置にある中央横山折り線である、
請求項１５又は１６記載のブックカバーの作成方法。
【発明の詳細な説明】
【技術分野】
【０００１】
本発明は、一枚のシート状材料を折ることによって作成されるカードケース及びブックカバーと、それらの作成方法、さらには、それらの作成に用いる作成用シート状材料に関するものである。
【背景技術】
【０００２】
例えば、クレジットカードや銀行カード、セキュリティカード、電子マネーカード、各種店舗が発行する会員カード、医療機関が発行する診察カード等、我々の日常は実に多種多様のカードに囲まれており、カードなしでは日常生活が営めない状況にあるといっても過言ではない。これらのカードは必要時に手元にないと持っている意味がないので、これらのカードをコンパクトに収納でき、かつ持ち運び可能なカードケースは現代人にとって不可欠のアイテムである。
【０００３】
カードケースは、見た目の高級感、耐久性、さらには手触りの良さなどから、通常、天然又は人工の皮革で作成される場合が多い。しかしながら、皮革は取り扱いが簡単でない上に、皮革を用いてカードケースを作成するには、予め所定の形状、大きさに裁断した皮革を用意し、これを縫い合わせたり、接着剤で接着したりする作業が必要となり、作成には熟練を要する。また、素材としての皮革は、高級感を与え、耐久性がある点で好ましいものであるが、これに模様を付したりするのが困難であり、装飾性に劣るという物足りなさがある。
【０００４】
この点に鑑み、最近では、合成樹脂や布などを用いてカードケースを作成することも種々提案されている。合成樹脂や布は、皮革よりは扱いが簡単である上に、それ自体、様々な色彩や模様、風合いを備えたものを比較的容易に入手することができるという利点があり、更にはプリント、刺繍、縫い付けなどの手法で、好みの装飾を施すことも比較的容易であるので、量産品でない個人の好みに合った独自のカードケースを作成することができるという点では重宝な素材である。しかしながら、合成樹脂や布を用いる場合であっても、カードケースを作成するに当たっては、所定の大きさや形に合わせて合成樹脂や布を予め裁断したり、裁断したものを縫い合わせたり、接着したりする作業が必要となり、手間が掛かるという点では、基本的に皮革を用いる場合と変わりはない。
【０００５】
上記以外の素材を用いたカードケースとしては、例えば、特許文献１に示されるようなプラスチック製シートを折り畳んで作成されるカードケースや、特許文献２に示されるような一枚のシートに特定の形状のスリットを入れたものなどが提案されている。しかしながら、これらは、いずれも、予め特殊な形状に加工されたプラスチック製シートなどを必要とする点で、誰でもが独自に容易に作成することができるというものではない。
【０００６】
一方、ブックカバーは、カードケースほど構造が複雑ではなく、しかも、カードケースほどの耐久性や見栄えの高級感は求められないことが多いので、従来から、皮革や布以外にも、例えば紙などの身近にある材料を用いて比較的簡単に作成されている。しかし、本の表表紙又は裏表紙を差し込むポケット部を持たず、単に、長方形状のシート状材料の左右の両端をカバーする本の見開き幅に合わせて折り曲げただけのブックカバーは、カバーしている本から剥がれやすいとい欠点を有している。本の表表紙又は裏表紙を差し込むポケット部を設けるには、例えば、特許文献３に示されるように、皮革や厚紙、プラスチックなどのシート状の素材を接着や縫い合わせによって接合することが必要であり、また、特許文献４に示されるように一枚のシートを折って作成されるブックカバーであっても、本の表紙を差し込むポケット部を持ったブックカバーを作成しようとすると、極めて複雑な折り方が要求される。
【先行技術文献】
【特許文献】
【０００７】
【特許文献１】実開平７−１８６２９号公報
【特許文献２】特開２０１５−１１２７４８号公報
【特許文献３】特開２０１０−１６２８５５号公報
【特許文献４】特開２００２−１７８６６５号公報
【発明の概要】
【発明が解決しようとする課題】
【０００８】
本発明は、上記従来技術の欠点を解消するために為されたもので、誰もが身近にある材料で容易に作成することができ、かつ、装飾性に優れたカードケース及びブックカバーと、それらの作成方法、さらには、それらの作成に用いる作成用シート状材料を提供することを課題とする。
【課題を解決するための手段】
【０００９】
上記課題を解決すべく鋭意試行錯誤を繰り返した結果、本発明者は、一枚のシート状材料の下部を谷折り山折りすることによって１又は複数のポケットを形成することができること、そして、それらポケットを形成した状態で、シート状材料の側端部を反対側に折り返し、さらに、シート状材料の上半分を反対側に折り返すとともに、その先端部を前記折り返し部に差し込んで袋状部を形成し、次に、シート状材料の左右どちらかの半分を反対側に折り返して、その先端部を前記袋状部に差し込むことによって、１枚のシート状材料から、比較的容易に、１又は複数のポケットを備えたカードケースを作成できることを見出した。
【００１０】
また、本発明者は、上記のようにして形成されるポケットは、本の表又は裏表紙を差し込むポケットとしても利用でき、谷折り山折りによって作成されるポケットの数を１つにとどめることによって、上記とほぼ同様の手順で、１枚のシート状材料からブックカバーを作成できることを見出した。
【００１１】
すなわち、本発明は、シート状材料を折って作成されるカードケースであって、
前記シート状材料の下部を、１本又は互いに平行な２本以上のポケット底部谷折り線に沿って谷折りし、前記ポケット底部谷折り線が２本以上設定されている場合には、前記谷折りに加えて、前記ポケット底部谷折り線と平行で、隣接する２本のポケット底部谷折り線の間にそれぞれ１本設定されているポケット頂部山折り線に沿って山折りすることによって形成された１又は２以上のポケットと、
１又は２以上の前記ポケットが形成された状態で、前記シート状材料の左右いずれか一方の側端部が、前記ポケットの側端部を含めて、前記ポケット底部谷折り線と直交する第１側部山折り線に沿って山折りされ反対側に折り返された側部折り返し部を備え、
１又は２以上の前記ポケットと前記側部折り返し部を備えた状態で、前記ポケット底部谷折り線に平行な中央横山折り線に沿って、前記シート状材料の上部が山折りされて反対側に折り返されるとともに、反対側に折り返された前記シート状材料の先端部であって、前記シート状材料の下端部よりも下方に飛び出した部分が、前記中央横山折り線と平行な上部山折り線に沿ってさらに山折りされ、その山折りされた先端部に位置する前記側部折り返し部が、前記シート状材料の下部に位置する前記側部折り返し部と係合する位置に差し込まれて、前記シート状材料の左右何れか一方の側端部に前記側部折り返し部で囲まれた袋状部が形成されており、
さらに、前記袋状部を形成した状態で、前記第１側部山折り線に平行な中央縦山折り線に沿って、前記シート状材料の前記袋状部とは反対側の部分が山折りされて反対側に折り返されるとともに、反対側に折り返された前記シート状材料の側端部であって、前記袋状部よりも側方に飛び出した部分が、前記中央縦山折り線に平行な第２側部山折り線に沿ってさらに山折りされて前記袋状部に挿入されており、
さらに、前記シート状材料の前記第２側部山折り線に沿って山折りされた側端部が前記袋状部に挿入されている状態で、前記シート状材料が、前記中央横山折り線と平行な蓋谷折り線又は蓋山折り線に沿って谷折り又は山折りされて１又は２以上の前記ポケットを覆う蓋部が形成されているカードケースを提供することによって上記課題を解決するものである。
【００１２】
また、本発明は、シート状材料を折って作成されるブックカバーであって、
前記シート状材料の下部をポケット底部谷折り線に沿って谷折りすることによって形成されたポケットと、
前記ポケットが形成された状態で、前記シート状材料の左右いずれか一方の側端部が、前記ポケットの側端部を含めて、前記ポケット底部谷折り線と直交する第１側部山折り線に沿って山折りされ反対側に折り返された側部折り返し部を備え、
前記ポケットと前記側部折り返し部を備えた状態で、前記シート状材料の上部が、前記ポケット底部谷折り線に平行な中央横山折り線に沿って山折りされて反対側に折り返されるとともに、反対側に折り返された前記シート状材料の先端部であって、前記シート状材料の下端部よりも下方に飛び出した部分が、前記中央横山折り線と平行な上部山折り線に沿ってさらに山折りされ、その山折りされた先端部に位置する前記側部折り返し部が、前記シート状材料の下部に位置する前記側部折り返し部と係合する位置に差し込まれて、前記シート状材料の左右何れか一方の側端部に前記側部折り返し部で囲まれた袋状部が形成されており、
さらに、前記袋状部を形成した状態で、前記第１側部山折り線に平行な中央縦山折り線に沿って、前記シート状材料の前記袋状部とは反対側の部分が山折りされて反対側に折り返されるとともに、反対側に折り返された前記シート状材料の側端部であって、前記袋状部よりも側方に飛び出した部分が、前記中央縦山折り線に平行な第２側部山折り線に沿ってさらに山折りされて前記袋状部に挿入されており、
前記ポケットに本の表表紙又は裏表紙の先端部を挿入して使用されるブックカバーを提供することによって上記課題を解決するものである。
【００１３】
さらに、本発明は、上記カードケース又はブックカバーを作成するに必要な各種山折り線及び谷折り線をシート状材料の四角形内の所定位置に記載したカードケース作成用シート状材料又はブックカバー作成用シート状材料を提供することによって上記課題を解決するものである。カードケース作成用シート状材料又はブックカバー作成用シート状材料は、それ自体が四角形で、その内部の所定位置に必要な山折り線及び谷折り線が記載されたものであっても良いし、任意の形状のシート状材料の内部に四角形の区画が設定されており、その四角形の区画内の所定位置に必要な山折り線及び谷折り線が記載されたものであっても良い。後者の場合、カードケース又はブックカバーの作成にあたっては、前記任意の形状のシート状材料から前記山折り線及び谷折り線が記載された四角形部分を切り出すか、前記任意の形状のシート状材料の不要部分を折って前記山折り線及び谷折り線が記載された四角形のシート状材料とするか、或いは、四角形からはみだした部分をそのままに所定の山折り谷折りをしてカードケース又はブックカバーを作成すれば良い。
【００１４】
加えて、本発明は、シート状材料を折ることによってカードケースを作成する方法であって、下記工程（Ａ）〜（Ｇ）を含むカードケースの作成方法を提供することによって上記課題を解決するものである；
（Ａ）前記シート状材料の下部を、１本又は互いに平行な２本以上のポケット底部谷折り線に沿って谷折りし、前記ポケット底部谷折り線が２本以上設定されている場合には、前記谷折りに加えて、前記ポケット底部谷折り線と平行で、隣接する２本のポケット底部谷折り線の間にそれぞれ１本設定されているポケット頂部山折り線に沿って山折りすることによって、１又は２以上のポケットを形成する工程、
（Ｂ）１又は２以上の前記ポケットが形成された状態で、前記シート状材料の左右いずれか一方の側端部を、前記ポケットの側端部を含めて、前記ポケット底部谷折り線と直交する第１側部山折り線に沿って山折りし、反対側に折り返して側部折り返し部を形成する工程、
（Ｃ）１又は２以上の前記ポケットと前記側部折り返し部を形成した状態で、前記ポケット底部谷折り線に平行な中央横山折り線に沿って、前記シート状材料の上部を山折りし反対側に折り返す工程であって、前記中央横山折り線が、前記中央横山折り線に沿って前記シート状材料の上部を山折りして反対側に折り返したとき、前記シート状材料の先端部が前記シート状材料の下端部よりも下方に飛び出す位置に設定されている工程、
（Ｄ）反対側に折り返された前記シート状材料の先端部であって、前記シート状材料の下端部よりも下方に飛び出した部分を、前記中央横山折り線と平行な上部山折り線に沿ってさらに山折りし、その山折りした先端部に位置する前記側部折り返し部を、前記シート状材料の下部に位置する前記側部折り返し部と係合する位置に差し込み、前記シート状材料の左右何れか一方の側端部に前記側部折り返し部で囲まれた袋状部を形成する工程、
（Ｅ）さらに、前記袋状部が形成された状態で、前記第１側部山折り線に平行な中央縦山折り線に沿って、前記シート状材料の前記袋状部とは反対側の部分を山折りして反対側に折り返す工程であって、前記中央縦山折り線が、前記中央縦山折り線に沿って前記シート状材料の前記袋状部とは反対側の部分を山折りして反対側に折り返したとき、反対側に折り返された前記シート状材料の側端部が前記袋状部より側方に飛び出す位置に設定されている工程、
（Ｆ）反対側に折り返された前記シート状材料の側端部であって、前記袋状部よりも側方に飛び出した部分を、前記中央縦山折り線に平行な第２側部山折り線に沿ってさらに山折りして前記袋状部に挿入する工程、
（Ｇ）前記シート状材料の前記第２側部山折り線に沿って山折りされた側端部が前記袋状部に挿入されている状態で、前記シート状材料を、前記中央横山折り線と平行な蓋谷折り線又は蓋山折り線に沿って谷折り又は山折りし、１又は２以上の前記ポケットを覆う蓋部を形成する工程。
【００１５】
さらに、本発明は、シート状材料を折ることによってブックカバーを作成する方法であって、下記工程（ａ）〜（ｆ）を含むブックカバーの作成方法を提供することによって上記課題を解決するものである；
（ａ）前記シート状材料の下部をポケット底部谷折り線に沿って谷折りすることによってポケットを形成する工程、
（ｂ）前記ポケットが形成された状態で、前記シート状材料の左右いずれか一方の側端部を、前記ポケットの側端部を含めて、前記ポケット底部谷折り線と直交する第１側部山折り線に沿って山折りし、反対側に折り返して側部折り返し部を形成する工程、
（ｃ）前記ポケットと前記側部折り返し部を形成した状態で、前記ポケット底部谷折り線に平行な中央横山折り線に沿って、前記シート状材料の上部を山折りし反対側に折り返す工程であって、前記中央横山折り線が、前記中央横山折り線に沿って前記シート状材料の上部を山折りして反対側に折り返したとき、前記シート状材料の先端部が前記シート状材料の下端部よりも下方に飛び出す位置に設定されている工程、
（ｄ）反対側に折り返された前記シート状材料の先端部であって、前記シート状材料の下端部よりも下方に飛び出した部分を、前記中央横山折り線と平行な上部山折り線に沿ってさらに山折りし、その山折りした先端部に位置する前記側部折り返し部を、前記シート状材料の下部に位置する前記側部折り返し部と係合する位置に差し込み、前記シート状材料の左右何れか一方の側端部に前記側部折り返し部で囲まれた袋状部を形成する工程、
（ｅ）さらに、前記袋状部が形成された状態で、前記第１側部山折り線に平行な中央縦山折り線に沿って、前記シート状材料の前記袋状部とは反対側の部分を山折りして反対側に折り返す工程であって、前記中央縦山折り線が、前記中央縦山折り線に沿って前記シート状材料の前記袋状部とは反対側の部分を山折りして反対側に折り返したとき、反対側に折り返された前記シート状材料の側端部が前記袋状部より側方に飛び出す位置に設定されている工程、
（ｆ）反対側に折り返された前記シート状材料の側端部であって、前記袋状部よりも側方に飛び出した部分を、前記中央縦山折り線に平行な第２側部山折り線に沿ってさらに山折りして前記袋状部に挿入する工程。
【００１６】
なお、本発明において、カードケース又はブックカバーの作成に用いられるシート状材料は、山折り及び谷折りすることができる限りどのような素材から構成されるシート状材料であっても良く、例えば、和紙、洋紙などの紙、又は織布、不織布などの布であっても良く、さらには、合成樹脂シートであっても良い。これらのシート状材料は、四角形であるのが好ましく、中でも長方形であるのがより好ましいが、必ずしも厳密に四角形又は長方形である必要はなく、四角形又は長方形からずれた歪んだ形状や不規則な形状であっても良い。用いるシート状材料が、四角形又は長方形からずれた形状である場合には、シート状材料の下辺に近い位置にポケット底部谷折り線又はポケット頂部山折り線を設定し、設定された前記ポケット底部谷折り線又はポケット頂部山折り線を基準に、それらと平行又は直交する他の山折り線及び谷折り線を設定すれば良い。
【００１７】
なお、作成されるカードケース又はブックカバーの耐久性を高めたり、汚れの付着を防止するために、シート状材料の一部又は全部に、薄い樹脂フィルムで覆うラミネート加工を施しても良い。また、出来上がった状態を勘案しながら、シート状材料の適宜の位置に、プリント、貼着、縫い付け、刺繍、熱圧着などの適宜の方法で、文字、絵、キャラクター、模様、図形、記号、色彩、写真などを貼り付けて、装飾を施しても良い。さらには、山折り、谷折り、或いは挿入されるシート状材料の適宜の箇所を糊等の接着剤を用いて接着して、作成されるカードケース又はブックカバーの安定性を高めて、形状の崩れを防止するようにしても良い。
【発明の効果】
【００１８】
本発明のカードケース又はブックカバー、並びにそれらの作成方法によれば、比較的容易に入手することのできる紙や布などのシート状材料を用いて、カードケースやブックカバーを誰もが比較的容易に作成することができるという利点が得られる。紙や布は比較的加工がし易く、プリント、貼着、縫い付け、刺繍、熱圧着などの適宜の方法で、適宜の箇所に写真、絵、キャラクター、文字、図形、模様などの装飾を適宜施すことができるので、作成者又は使用者の好みに合わせた独自のカードケース又はブックカバーを容易に作成することができるという利点が得られる。また、本発明のカードケース又はブックカバー作成用シート状材料によれば、シート状材料の所定位置に、必要な山折り線及び谷折り線が予め記載されているので、それらの指示に従ってシート状材料を折っていくだけでカードケース又はブックカバーを容易に作成することができるという利点が得られる。
【図面の簡単な説明】
【００１９】
【図１】本発明のカードケース作成用シート状材料の一例を示す図である。
【図２】カードケースの作成手順を示す斜視図である。
【図３】カードケースの作成手順を示す斜視図である。
【図４】カードケースの作成手順を示す斜視図である。
【図５】カードケースの作成手順を示す斜視図である。
【図６】カードケースの作成手順を示す斜視図である。
【図７】カードケースの作成手順を示す斜視図である。
【図８】カードケースの作成手順を示す斜視図である。
【図９】ポケットと側部折り返し部を備えた状態で、シート状材料の上部を、中央横山折り線に沿って山折りし、さらに先端部を上部山折り線に沿って山折りした状態を示す底面図及び部分拡大図である。
【図１０】袋状部が形成された状態を示す右側面図である。
【図１１】カードケースの作成手順を示す斜視図である。
【図１２】カードケースの作成手順を示す正面図である。
【図１３】出来上がったカードケースの正面図である。
【図１４】出来上がったカードケースの背面図である。
【図１５】本発明のカードケース作成用シート状材料の他の一例を示す図である。
【図１６】カードケースの作成手順を示す正面図である。
【図１７】カードケースの作成手順を示す斜視図である。
【図１８】カードケースの作成手順を示す斜視図である。
【図１９】本発明のブックカバー作成用シート状材料の一例を示す図である。
【図２０】ブックカバーの作成手順を示す斜視図である。
【図２１】ブックカバーの作成手順を示す斜視図である。
【図２２】ブックカバーの作成手順を示す斜視図である。
【図２３】ポケットと側部折り返し部を備えた状態で、シート状材料の上部を、中央横山折り線に沿って山折りし、さらに先端部を上部山折り線に沿って山折りした状態を示す底面図及び部分拡大図である。
【図２４】袋状部が形成された状態を示す右側面図である。
【図２５】ブックカバーの作成手順を示す斜視図である。
【図２６】出来上がったブックカバーの正面図である。
【図２７】ブックカバーを用いて本をカバーする様子を示す概略図である。
【図２８】本発明のブックカバー作成用シート状材料の他の一例を示す図である。
【図２９】ブックカバーの作成手順を示す斜視図である。
【図３０】ブックカバーの作成手順を示す斜視図である。
【図３１】ブックカバーの作成手順を示す斜視図である。
【図３２】出来上がったブックカバーの正面図である。
【図３３】ブックカバーを用いて本をカバーする様子を示す概略図である。
【発明を実施するための形態】
【００２０】
以下、図面を用いて本発明を詳細に説明するが、本発明が図示のものに限られないことは勿論である。
【００２１】
＜カードケース−その１−＞
図１は、本発明のカードケース作成用シート状材料の一例を示す図であり、図１中、（ａ）は平面図、（ｂ）は右側面図を表している。因みに、図１（ａ）の平面図は、本発明のカードケースの一例の展開図でもある。
【００２２】
図１（ａ）（ｂ）において、１はシート状材料であり、Ｔはその上辺、Ｂは下辺、Ｒは右辺、Ｌは左辺である。また、αはシート状材料１の表面、βはシート状材料１の裏面である。なお、本例では、シート状材料１は、上辺Ｔと下辺Ｂ、及び右辺Ｒと左辺Ｌとがそれぞれ互いに平行で、上辺Ｔと下辺Ｂ、及び右辺Ｒと左辺Ｌの長さが、それぞれ等しく、かつ、上辺Ｔ及び下辺Ｂよりも、左辺Ｌ及び右辺Ｒが長い縦長の長方形状をしているが、必ずしも長方形状に限られる訳ではない。シート状材料１の形状は、四角形であれば良く、作成するカードケースの形状やポケットの数に合わせて、上辺Ｔ及び下辺Ｂと、右辺Ｒ及び左辺Ｌの長さの比は、適宜変更することができる。ただし、後述するとおり、下辺Ｂと平行な山折り線及び谷折り線に沿ってシート状材料１を折る回数が多いので、上辺Ｔ及び下辺Ｂよりも、左辺Ｌ及び右辺Ｒが長い長方形状であるのが好ましい。
【００２３】
また、シート状材料１は、上辺Ｔ、下辺Ｂ、右辺Ｒ、及び左辺Ｌで囲まれる四角形の外側にはみ出す部分を有していても良く、その場合、カードケースの作成にあたり、はみ出した部分は、上辺Ｔ、下辺Ｂ、右辺Ｒ、又は左辺Ｌに沿って切断するか、上辺Ｔ、下辺Ｂ，右辺Ｒ、又は左辺Ｌに沿って山折り又は谷折りしてシート状材料１の外形を四角形状にすれば良い。或いは、はみ出した部分はそのままに、後述する各種の谷折り線及び山折り線を設定して、谷折り又は山折りを実行しても良い。これらの点は、後述するブックカバー作成用シート状材料についても同様である。
【００２４】
図中実線で示したＹｂは補助山折り線、Ｙｐｔ１は第１ポケット頂部山折り線、Ｙｐｔ２は第２ポケット頂部山折り線、Ｙｐｔ３は第３ポケット頂部山折り線であり、破線で示したＴｐｂ１は第１ポケット底部谷折り線、Ｔｐｂ２は第２ポケット底部谷折り線、Ｔｐｂ３は第３ポケット底部谷折り線である。なお、これらの山折り線及び谷折り線は、いずれも互いに平行であり、本例の場合はシート状材料１の下辺Ｂに平行である。
【００２５】
本例のカードケースにおいては、カードを入れるポケットが３個作成されるので、第１ポケット底部谷折り線Ｔｐｂ１に加えて、第２ポケット底部谷折り線Ｔｐｂ２及び第３ポケット底部谷折り線Ｔｐｂ３が設けられ、かつ、第１ポケット底部谷折り線Ｔｐｂ１と第２ポケット底部谷折り線Ｔｐｂ２との間、及び第２ポケット底部谷折り線Ｔｐｂ２と第３ポケット底部谷折り線Ｔｐｂ３との間に、それぞれ、第２ポケット頂部山折り線Ｙｐｔ２及び第３ポケット頂部山折り線Ｙｐｔ３が設けられている。しかしながら、ポケット頂部山折り線及びポケット底部谷折り線の本数は図示のものに限られない。例えば、作成されるカードケースのポケットが２個で良い場合には、第３ポケット頂部山折り線Ｙｐｔ３及び第３ポケット底部谷折り線Ｔｐｂ３は不要であり、ポケットが１個で良い場合には、第２ポケット頂部山折り線Ｙｐｔ２及び第２ポケット底部谷折り線Ｔｐｂ２も不要である。なお、ポケットが４個以上作成される場合には、ポケット頂部山折り線とポケット底部谷折り線とのセットで、ポケット頂部山折り線とポケット底部谷折り線の数を増やしていけば良い。
【００２６】
また、場合によっては、第１ポケット頂部山折り線Ｙｐｔ１は設けなくても良いし、補助山折り線Ｙｂもなくても良い。ただし、第１ポケット底部谷折り線Ｔｐｂ１よりもシート状材料１の下辺Ｂに近い位置に第１ポケット頂部山折り線Ｙｐｔ１が設けられている場合には、少なくともポケットの上部で手前側のシート状材料１が二重になるので、ポケットの耐久性が増し、また、ポケットの入り口部に厚みが加わり、見栄えも良くなるという利点がある。また、第１ポケット頂部山折り線Ｙｐｔ１よりもさらに下辺Ｂに近い側に補助山折り線Ｙｂが設けられている場合には、ポケットの手前側のシート状材料１が３重になるので、ポケットの耐久性がより高まるとともに、ポケットの手前側下端に厚みが加わり、見栄えもより一層良くなるという利点が得られる。したがって、第１ポケット頂部山折り線Ｙｐｔ１は設けるのが好ましく、補助山折り線Ｙｂも設ける方が良い。
【００２７】
Ｙｓ１は第１側部山折り線、Ｙｓ２は第２側部山折り線であり、いずれも、第１ポケット底部谷折り線Ｔｐｂ１に直交しており、互いに平行である。なお、本例においては、シート状材料１は長方形であり、下辺Ｂ及び上辺Ｔと、左辺Ｒ及び右辺Ｌとは直交しているので、第１側部山折り線Ｙｓ１及び第２側部山折り線Ｙｓ２はシート状材料１の右辺Ｒ又は左辺Ｌに平行である。なお、下辺Ｂと補助山折り線Ｙｂの間、第１ポケット頂部山折り線Ｙｐｔ１と第１ポケット底部谷折り線Ｔｐｂ１の間、第２ポケット頂部山折り線Ｙｐｔ２と第２ポケット底部谷折り線Ｔｐｂ２との間、及び第３ポケット頂部山折り線Ｙｐｔ３と第３ポケット底部谷折り線Ｔｐｂ３との間に、第１側部山折り線Ｙｓ１が設けられていないのは、これらの部分が、第１側部山折り線Ｙｓ１に沿って山折りをする状態において、シート状材料１の表面α側に現れていないからである。第２側部山折り線Ｙｓ２が設けられていない部分についても同様である。なお、本例においては、第１側部山折り線Ｙｓ１はシート状材料１の右辺Ｒ側に、第２側部山折り線Ｙｓ２は左辺Ｌ側に設けられているが、両者の位置は逆であっても良い。
【００２８】
ＹＬは中央横山折り線、Ｙｔは上部山折り線、ＹＶは中央縦山折り線、ＴＣは蓋谷折り線である。中央横山折り線ＹＬ、上部山折り線Ｙｔ、及び蓋谷折り線ＴＣは第１ポケット底部谷折り線Ｔｐｂ１に平行であり、本例の場合、シート状材料１の上辺Ｔに平行でもある。中央縦山折り線ＹＶは第１ポケット底部谷折り線Ｔｐｂ１に直交しており、本例の場合、シート状材料１の右辺Ｒ又は左辺Ｌに平行でもある。なお、蓋谷折り線ＴＣは、蓋山折り線であっても良い。これらの山折り線及び谷折り線についても、山折り又は谷折りするときに、シート状材料１の表面α側に現れない部分については記載していない。
【００２９】
図中、Ｌ１〜Ｌ１６は、それぞれの部分の長さを表している。すなわち、Ｌ２〜Ｌ９は、互いに平行な山折り線又は谷折り線間の距離、Ｌ１及びＬ１０は補助山折り線Ｙｂ又は上部山折り線Ｙｔと下辺Ｂ又は上辺Ｔまでの距離を表し、Ｌ１１は第３ポケット底部谷折り線Ｔｐｂ３からそれと平行な蓋谷折り線ＴＣまでの距離を、また、Ｌ１２は蓋谷折り線ＴＣからそれと平行な中央横山折り線ＹＬまでの距離を表しており、Ｌ１１＋Ｌ１２＝Ｌ８の関係にある。Ｌ１３〜Ｌ１６は、それぞれ、シート状材料１の左辺Ｌから第１ポケット底部谷折り線Ｔｐｂ１と直交し、本例の場合は左辺Ｌに平行でもある第２側部山折り線Ｙｓ２までの距離、第２側部山折り線Ｙｓ２からそれと平行な中央縦山折り線ＹＶまでの距離、中央縦山折り線ＹＶからそれと平行な第１側部山折り線Ｙｓ１までの距離、及び第１側部山折り線Ｙｓ１から右辺Ｒまでの距離を表している。
【００３０】
第１ポケット頂部山折り線Ｙｐｔ１と第１ポケット底部谷折り線Ｔｐｂ１との距離Ｌ３が、下辺Ｂに最も近い手前側に形成される第１ポケットＰ１の深さに対応する。同様に、第２ポケット頂部山折り線Ｙｐｔ２と第２ポケット底部谷折り線Ｔｐｂ２との距離Ｌ５が第１ポケットＰ１の奥に形成される第２ポケットＰ２の深さに、そして第３ポケット頂部山折り線Ｙｐｔ３と第３ポケット底部谷折り線Ｔｐｂ３との距離Ｌ７がさらに奥に形成される第３ポケットＰ３の深さに、それぞれ対応している。
【００３１】
なお、奥側に位置するポケットが手前側に位置するポケットで隠されてしまわないように、例えば、第１ポケット頂部山折り線Ｙｐｔ１から第１ポケット底部谷折り線Ｔｐｂ１までの距離Ｌ３、即ち第１ポケットＰ１の深さは、第１ポケット底部谷折り線Ｔｐｂ１から、奥側に位置する第２ポケットＰ２の第２ポケット頂部山折り線Ｙｐｔ２までの距離Ｌ４よりも短く設定されている。これにより、第２ポケットＰ２が手前側に位置する第１ポケットＰ１によって隠されてしまうことがない。なお、第１ポケット頂部山折り線Ｙｐｔ１が設定されていないときには、補助山折り線Ｙｂも存在しないので、シート状材料１の下辺Ｂから第１ポケット底部谷折り線Ｔｐｂ１までの距離が距離Ｌ３となり、第１ポケットＰ１の深さに相当することになる。
【００３２】
同様に、第２ポケット頂部山折り線Ｙｐｔ２から第２ポケット底部谷折り線Ｔｐｂ２までの距離Ｌ５、即ち第２ポケットＰ２の深さは、第２ポケット底部谷折り線Ｔｐｂ２から、奥側に位置する第３ポケットＰ３の第３ポケット頂部山折り線Ｙｐｔ３までの距離Ｌ６よりも短く設定されている。これにより、第３ポケットＰ３が手前側に位置する第２ポケットＰ２によって隠されてしまうことがない。
【００３３】
逆に、奥側に位置するポケットを手前側に位置するポケットで隠したい場合には、手前側に位置するポケットの深さを、当該ポケットを形成するポケット底部谷折り線から奥側に位置するポケットを形成するポケット頂部山折り線までの距離よりも長くすれば良いことはいうまでもない。因みに、本明細書において、手前側とは、シート状材料１の表面αを上にして、山折り又は谷折りをしていったときに、シート状材料のより上側となる方を意味し、奥側とは、その反対に、山折り又は谷折りされたシート状材料１のより下側となる方を意味する。
【００３４】
第３ポケット頂部山折り線Ｙｐｔ３から第３ポケット底部谷折り線Ｔｐｂ３までの距離Ｌ７は第３ポケットの深さに相当するが、この深さは、最終的に蓋谷折り線ＴＣに沿って谷折りして蓋を形成する必要上、第３ポケット谷折り線Ｔｐｂ３から蓋谷折り線ＴＣまでの距離Ｌ１１よりも短く設定されている。
【００３５】
なお、本例においては、距離Ｌ２とＬ３、距離Ｌ４とＬ５、距離Ｌ６とＬ７、及び距離Ｌ８とＬ９は、それぞれ同じ長さに設定されているが、必ずしも同じ長さである必要はなく、互いに異なっていても良い。後述するとおり、シート状材料１の上辺Ｔは、中央横山折り線ＹＬと、上部山折り線Ｙｔに沿って山折りされて、側部折り返し部と係合する位置に差し込まれるので、距離Ｌ８、Ｌ９、Ｌ１０は、（Ｌ９＋Ｌ１０）＞Ｌ８の関係にある。すなわち、第３ポケット底部谷折り線Ｔｐｂ３から中央横山折り線ＹＬまでの距離Ｌ８は、第３ポケット底部谷折り線Ｔｐｂ３からシート状材料１の上辺Ｔまでの長さを２等分した位置よりも、シート状材料１の下辺Ｂに近い位置に設定されており、第１ポケットＰ１〜第３ポケットＰ３が形成された状態で、中央横山折り線ＹＬに沿ってシート状材料１の上部を山折りして、反対側に折り返したとき、シート状材料１の先端部がシート状材料１の下端部よりも下方に飛び出す位置に設定されていることになる。因みに、後述するとおり、シート状材料１をポケット頂部山折り線Ｙｐｔ１〜Ｙｐｔ３及びポケット底部谷折り線Ｔｐｂ１〜Ｔｐｂ３に沿って山折り又は谷折りしてポケットＰ１〜Ｐ３を形成したとき、第３ポケット谷折り線Ｔｐｂ３は、折りたたまれたシート状材料１の下端部に位置することになり、また上辺Ｔがシート状材料１の上端部になるので、中央横山折り線ＹＬは、ポケットＰ１〜Ｐ３と前記側部折り返し部を備えた状態で、シート状材料１の下端部からシート状材料１の上端部までの長さを２等分した位置よりもシート状材料の下端部に近い位置にあることになる。
【００３６】
同様に、後述するとおり、シート状材料１の左辺Ｌは、中央縦山折り線ＹＶと、第２側部山折り線Ｙｓ２に沿って山折りされて、シート状材料１の右辺Ｒを第１側部山折り線Ｙｓ１に沿って山折りして形成された袋状部に差し込まれるので、距離Ｌ１３〜Ｌ１５は、（Ｌ１３＋Ｌ１４）＞Ｌ１５の関係にある。すなわち、第１側部山折り線Ｙｓ１から中央縦山折り線ＹＶまでの距離Ｌ１５は、第１側部山折り線Ｙｓ１からシート状材料１の左辺Ｌまでの長さを２等分した位置よりも、第１側部山折り線Ｙｓ１に近い位置に設定されている。換言すれば、中央縦山折り線ＹＶは、前記袋状部が形成された状態で、シート状材料１の左右端部間の長さ、すなわち、第１側部山折り線Ｙｓ１から左辺Ｌまでの長さ（＝Ｌ１５＋Ｌ１４＋Ｌ１３）を２等分した位置よりも第１側部山折り線Ｙｓ１に近い位置にあることになり、中央縦山折り線ＹＶに沿ってシート状材料１の前記袋状部とは反対側の部分を山折りして反対側に折り返したとき、反対側に折り返されたシート状材料１の側端部が前記袋状部より側方に飛び出す位置に設定されていることになる。
【００３７】
Ａは、カードケースが完成したときに、蓋の外側になる部分であり、予めこの部分に写真をプリントするなどして、好みの装飾を施しておくことができる。
【００３８】
次に、図２〜図１４に基づいて、図１に示すカードケース作成用シート状材料１を用いて作成される本発明のカードケース及びその作成方法を説明する。
【００３９】
図２は、図１に示すカードケース作成用シート状材料１の下部を、補助山折り線Ｙｂに沿って山折りした状態を示す斜視図である。図に示すとおり、下辺Ｂから距離Ｌ１に相当する部分が、補助山折り線Ｙｂに沿って略１８０度折られ、シート状材料１の裏面βの側に折られている。このように本明細書において山折りとは、シート状材料１の表面αの側に山の頂部が生じるような折り方をいい、逆に谷折りとは、シート状材料１の表面αの側に谷の底部が生じるような折り方をいう。
【００４０】
図３は、図２に示す状態から、さらに第１ポケット頂部山折り線Ｙｐｔ１に沿って、シート状材料１の下部を山折りした状態を示している。
【００４１】
図４は、図３に示す状態から、さらに第１ポケット底部谷折り線Ｔｐｂ１に沿ってシート状材料１の下部を谷折りし、シート状材料１の表面α側に第１ポケットＰ１が形成された状態を示している。第１ポケット頂部山折り線Ｙｐｔ１と第１ポケット底部谷折り線Ｔｐｂ１までの距離Ｌ３が第１ポケットＰ１の深さに相当する。
【００４２】
図５は、図４に示す状態から、さらに第２ポケット頂部山折り線Ｙｐｔ２に沿って山折りするとともに、第２ポケット底部谷折り線Ｔｐｂ２に沿って谷折りし、シート状材料１の表面α側に、第１ポケットＰ１に続いて、第２ポケットＰ２が形成された状態を示している。第２ポケット頂部山折り線Ｙｐｔ２と第２ポケット底部谷折り線Ｔｐｂ２までの距離Ｌ５が第２ポケットＰ２の深さに相当する。
【００４３】
図６は、図５に示す状態から、さらに第３ポケット頂部山折り線Ｙｐｔ３に沿って山折りするとともに、第３ポケット底部谷折り線Ｔｐｂ３に沿って谷折りし、シート状材料１の表面α側に、第１ポケットＰ１及び第２ポケットＰ２に続いて、第３ポケットＰ３が形成された状態を示している。第３ポケット頂部山折り線Ｙｐｔ３と第３ポケット底部谷折り線Ｔｐｂ３までの距離Ｌ７が第３ポケットＰ３の深さに相当する。
【００４４】
なお、上記の説明では、下辺Ｂにより近い位置にある山折り線又は谷折り線から順にシート状材料１の下部を山折り又は谷折りしているが、山折り又は谷折りの順序は、必ずしも下辺Ｂに近い側から順に折らなければならない訳ではない。ポケットＰ１〜Ｐ３を形成する補助山折り線Ｙｂ、第１〜第３ポケット頂部山折り線Ｙｐｔ１〜Ｙｐｔ３、及び第１〜第３ポケット底部谷折り線Ｙｐｂ１〜Ｙｐｂ３に関しては、結果として、ポケットＰ１〜Ｐ３が形成されれば良く、その折る順序は上に説明した順序に限られず、任意であって良い。
【００４５】
図７は、ポケットＰ１〜Ｐ３が形成された図６に示す状態から、第１側部山折り線Ｙｓ１に沿ってシート状材料１の右側部を山折りし、反対側、すなわち裏面β側に折り返して側部折り返し部γを形成した状態を示している。因みに、第１側部山折り線Ｙｓ１が、シート状材料１の左辺Ｌ側に設定されている場合には、シート状材料１の左側部を山折りし、裏面β側に折り返した部分が側部折り返し部γになることはいうまでもない。
【００４６】
図８は、図７に示す状態、すなわち、ポケットＰ１〜Ｐ３と側部折り返し部γを備えた状態で、シート状材料１の上部を、中央横山折り線ＹＬに沿って山折りし、裏面β側に折り返すとともに、折り返されたシート状材料１の先端部（長さＬ１０の部分）を上部山折り線Ｙｔに沿ってさらに山折りした状態を示している。前述したとおり、中央横山折り線ＹＬの位置は、ポケットＰ１〜Ｐ３と側部折り返し部γを備えた状態で、シート状材料１の下端部（本例の場合は第３ポケット底部谷折り線Ｔｐｂ３）からシート状材料１の上端部、すなわち上辺Ｔまでの長さを２等分した位置よりもシート状材料１の下端部に近い位置に設定されており、（Ｌ９＋Ｌ１０）＞Ｌ８の関係にあるので、シート状材料１の上部を中央横山折り線ＹＬに沿って山折りすると、シート状材料１の先端部の少なくとも一部はシート状材料１の下端部よりも下方に飛び出すことになる。上部山折り線Ｙｔは、この飛び出した部分がさらに山折りされる位置に設定されている。本例においては、Ｌ８＝Ｌ９とされているので、ちょうどＬ１０の長さに相当する部分がシート状材料１の下端部である第３ポケット底部谷折り線Ｔｐｂ３よりも下方に飛び出す部分となり、上部山折り線Ｙｔに沿ってさらに山折りされる部分となる。
【００４７】
なお、本例においては、Ｌ６＝Ｌ７に設定されているので、ポケットＰ１〜Ｐ３と側部折り返し部γを備えた状態で、第３ポケット底部谷折り線Ｔｐｂ３の位置がシート状材料１の下端部となるが、例えば、Ｌ６＞Ｌ７であれば、第２ポケット底部谷折り線Ｔｐｂ２の位置がポケットＰ１〜Ｐ３と側部折り返し部γを備えた状態でのシート状材料１の下端部となり、さらに、Ｌ４＞Ｌ５であれば、第１ポケット底部谷折り線Ｔｐｂ１の位置がポケットＰ１〜Ｐ３と側部折り返し部γを備えた状態でのシート状材料１の下端部となる。
【００４８】
図９は、図８の底面図であり、部分的に２箇所だけ拡大して示してある。図９に示すとおり、シート状材料１の下端部は、３つの谷折り線Ｔｐｂ１〜Ｔｐｂ３及び４つの山折り線Ｙｂ及びＹｐｔ１〜Ｙｐｔ３から構成されており、その右側端部が折り返されて側部折り返し部γが形成されている状態にある。このような状態で、側部折り返し部γのうち、上部山折り線Ｙｔに沿ってさらに山折りされた先端部に位置する側部先端折り返し部γｔは、シート状材料１の下部に位置する側部折り返し部γと係合する位置に差し込まれる。図では、シート状材料１の折り返し部γにおける補助山折り線Ｙｂと第１ポケット底部谷折り線Ｔｐｂ１との間に、上部山折り線Ｙｔに沿って折り返された先端部に位置する側部先端折り返し部γｔが差し込まれ、側部先端折り返し部γｔは、シート状材料１の下部に位置する側部折り返し部γと係合する。
【００４９】
なお、側部先端折り返し部γｔを差し込む箇所は、側部先端折り返し部γｔがシート状材料１の下部に位置する側部折り返し部γと係合する位置であればよく、折り返し部γにおける補助山折り線Ｙｂと第１ポケット底部谷折り線Ｔｐｂ１との間に限られない。例えば、図中に細い矢印で示すとおり、側部折り返し部γにおける第３ポケット底部谷折り線Ｔｐｂ３と第２ポケット底部谷折り線Ｔｐｂ２との間であっても良く、側部折り返し部γにおける第２ポケット底部谷折り線Ｔｐｂ２と第１ポケット底部谷折り線Ｔｐｂ１との間であっても良く、さらには、シート状材料１の本体部に位置する第３ポケット底部谷折り線Ｔｐｂ３と、シート状材料１の側部折り返し部γにおける第３ポケット底部谷折り線Ｔｐｂ３との間であっても良い。ただし、側部先端折り返し部γｔを側部折り返し部γと十分に係合させるという観点からは、側部先端折り返し部γｔは、折り返し部γにおける補助山折り線Ｙｂと第１ポケット底部谷折り線Ｔｐｂ１との間に差し込まれるのが最も好ましい。
【００５０】
このとき、係合をより確実なものとするために、差し込まれる側部先端折り返し部γｔの片面若しくは両面、又は、側部先端折り返し部γｔが差し込まれた状態で側部先端折り返し部γｔと接触するシート状材料１の裏面β又は折り返し部γの部分に糊等の適宜の接着剤を塗布し、両者を係合させた状態で接着するようにしても良い。
【００５１】
図１０は、側部先端折り返し部γｔを、折り返し部γにおける補助山折り線Ｙｂと第１ポケット底部谷折り線Ｔｐｂ１との間に差し込んで、シート状材料１の下部に位置する側部折り返し部γと係合させた状態を示す右側面図である。図１０に示すとおり、シート状材料１の右側部には、図中ハッチングを付して示す、折り返し部γで囲まれた袋状部δが形成されている。
【００５２】
図１１は、袋状部δが形成された状態で、シート状材料１の左側を中央縦山折り線ＹＶに沿って山折りし、裏面β側に折り返すとともに、折り返されたシート状材料１の先端部（長さＬ１３の部分）を第２側部山折り線Ｙｓ２に沿ってさらに山折りした状態を示している。前述したとおり、中央縦山折り線ＹＶの位置は、側部折り返し部γと袋状部δが形成された状態で、シート状材料１の左右端部間の長さ、すなわち、（Ｌ１３＋Ｌ１４＋Ｌ１５）を２等分した位置よりも第１側部山折り線Ｙｓ１に近い位置に設定されており、（Ｌ１３＋Ｌ１４）＞Ｌ１５の関係にあるので、シート状材料１の左側（すなわち袋状部δとは反対側の部分）を中央縦山折り線ＹＶに沿って山折りすると、山折りされたシート状材料１の先端部の少なくとも一部はシート状材料１の右端部（すなわち袋状部δ）よりも側方に飛び出すことになる。第２側部山折り線Ｙｓ２は、この飛び出した部分がさらに山折りされる位置に設定されている。本例においては、Ｌ１４＝Ｌ１５とされているので、ちょうどＬ１３の長さに相当する部分がシート状材料１の右端部である袋状部δよりも右側に飛び出す部分となり、第２側部山折り線Ｙｓ２に沿ってさらに山折りされ、その山折りされた部分が袋状部δに挿入される。
【００５３】
このとき、挿入状態をより確実なものとするために、挿入する山折りされた先端部の片面若しくは両面、又は、挿入する山折りされた先端部と接触する袋状部δの内面に糊等の適宜の接着剤を塗布し、挿入した状態で両者を接着するようにしても良い。
【００５４】
図１２は、第２側部山折り線Ｙｓ２に沿って山折りした部分を袋状部δ内に挿入した状態を示す図である。この状態で、シート状材料１の上部を、蓋谷折り線ＴＣに沿って谷折りすると、図１３の正面図に示すとおり、蓋Ｃと第１ポケット〜第３ポケットＰ１〜Ｐ３を備える本発明のカードケースＣＣが完成する。本例のカードケースＣＣは、３つのポケットＰ１〜Ｐ３を備えており、各ポケットに適宜のカードを収納して、持ち運ぶことができる。また、図１４の背面図に示すとおり、本例のカードケースＣＣは、裏面にも３つのポケットＰ１〜Ｐ３を備えているので、必要であれば、裏面にも適宜のカードを収納することが可能である。
【００５５】
図１（ａ）において、Ａで示す領域が図１３において蓋Ｃの表面になる領域であり、予め領域Ａに適宜の装飾を施しておけば、完成したカードケースＣＣにおいて蓋Ｃの表面に装飾が現れることになる。なお、蓋Ｃの表面や、その他の部分を含めて、適宜の箇所に薄い樹脂フィルムを貼り付けるラミネート加工を施して、その耐久性と美観を増すようにしても良い。
【００５６】
本例において、蓋Ｃの縦方向の長さＬ１２は、カードケースＣＣのポケット部の長さＬ１１よりも、若干短く設定されており、Ｌ１２がＬ１１よりも若干短くなる位置に蓋谷折り線ＴＣが設定されている。なお、蓋谷折り線ＴＣは蓋山折り線ＹＣであっても良く、その場合には、蓋Ｃは蓋山折り線ＹＣに沿って反対側に折り返されるが、反対側にも第１ポケット〜第３ポケットＰ１〜Ｐ３は形成されているので、向こう側が正面となるカードケースＣＣが作成されることになる。
【００５７】
＜カードケース−その２−＞
図１５は、本発明のカードケース作成用シート状材料１の他の一例を示す図であり、図１５中、（ａ）は平面図、（ｂ）は右側面図を表している。因みに、図１５（ａ）の平面図は、本発明のカードケースの他の一例の展開図でもある。
【００５８】
図１５に示す例においては、中央縦山折り線ＹＶよりも第１側部山折り線Ｙｓ１の側、換言すれば形成される袋状部δが位置する側に、中央縦山折り線ＹＶと平行な第１マチ部山折り線Ｙｍ１が、そして、中央縦山折り線ＹＶと第１マチ部山折り線Ｙｍ１との間に、中央縦山折り線ＹＶと平行な第１マチ部谷折り線Ｔｍ１が設定されているとともに、第２側部山折り線Ｙｓ２よりも中央縦山折り線ＹＶが位置する側に、第２側部山折り線Ｙｓ２と平行な第２マチ部山折り線Ｙｍ２が、そして、第２側部山折り線Ｙｓ２と第２マチ部山折り線Ｙｍ２との間に、第２側部山折り線Ｙｓ２と平行な第２マチ部谷折り線Ｔｍ２が設定されている点が、図１に示す例とは異なっている。なお、第１マチ部谷折り線Ｔｍ１は、中央縦山折り線ＹＶと第１マチ部山折り線Ｙｍ１との双方から等距離の位置に、第２マチ部谷折り線Ｔｍ２は、第２側部山折り線Ｙｓ２と第２マチ部山折り線Ｙｍ２との双方から等距離の位置に設定されるのが望ましい。
【００５９】
図１６は、図１５に示すシート状材料１を用いて、先に図２〜図９に基づいて説明したと同様の工程を経て、シート状材料１の上部山折り線Ｙｔに沿って山折りされた先端部に位置する側部先端折り返し部γｔが、シート状材料１の下部に位置する側部折り返し部γと係合する位置に差し込まれて、袋状部δが形成された状態を示している。図１６に示すとおり、中央縦山折り線ＶＬの右側には第１マチ部谷折り線Ｔｍ１及び第１マチ部山折り線Ｙｍ１が、第２側部山折り線Ｙｓ２の右側には第２マチ部谷折り線Ｔｍ２及び第２マチ部山折り線Ｙｍ２が、それぞれ存在している。
【００６０】
図１７は、図１６に示す状態、すなわち、袋状部δが形成された状態から、シート状材料１を、第１マチ部谷折り線Ｔｍ１及び第１マチ部山折り線Ｙｍ１に沿って、それぞれ谷折り及び山折りするとともに、第２マチ部谷折り線Ｔｍ１及び第２マチ部山折り線Ｙｍ１に沿って、それぞれ谷折り及び山折りし、さらに、シート状材料１の袋状部δとは反対側の部分を山折りして反対側に折り返すとともに、その反対側に折り返した先端部を第２側部山折り線Ｙｓ２に沿って山折りした状態を表している。図１７に見られるとおり、折り返されたシート状材料１の左側端部には、中央縦山折り線ＹＶ、第１マチ部谷折り線Ｔｍ１、及び第１マチ部山折り線Ｙｍ１に沿った山折り及び谷折りによって形成される第１マチ部が形成され、シート状材料１の折り返された第２側部山折り線Ｙｓ２の左側には、第２側部山折り線Ｙｓ２、第２マチ部谷折り線Ｔｍ２、及び第２マチ部山折り線Ｙｍ２に沿った山折り及び谷折りによって形成される第２マチ部が形成されている。
【００６１】
図１８は、図１７に示す状態から、袋状部δよりも側方に飛び出したシート状材料１の先端部を袋状部δに挿入した状態を示している。図に示すとおり、シート状材料１の左右の端部には、それぞれ、中央縦山折り線ＹＶ、第１マチ部谷折り線Ｔｍ１、及び第１マチ部山折り線Ｙｍ１に沿った山折り及び谷折りによって形成される第１マチ部と、第２側部山折り線Ｙｓ２、第２マチ部谷折り線Ｔｍ２、及び第２マチ部山折り線Ｙｍ２に沿った山折り及び谷折りによって形成される第２マチ部が形成されている。
【００６２】
この状態で、シート状材料１の上部を、蓋谷折り線ＴＣに沿って谷折りすると、先に図１３を用いて説明したとおり、蓋Ｃと第１ポケット〜第３ポケットＰ１〜Ｐ３を備える本発明のカードケースＣＣが完成する。本例のカードケースＣＣは、３つのポケットＰ１〜Ｐ３を備えるとともに、カードケースの左右の端部に第１マチ部及び第２マチ部を有しているので、各ポケットにカードを収納した状態で前後に膨らむことができ、先に図１〜図１４を用いて説明したカードケースよりも多くの枚数のカードを収納することができるという利点を有している。
【００６３】
＜ブックカバー−その１−＞
図１９は、本発明のブックカバー作成用シート状材料１０の一例を示す図であり、図１９中、（ａ）は平面図、（ｂ）は右側面図を表している。因みに、図１９（ａ）の平面図は、本発明のブックカバーの一例の展開図でもある。
【００６４】
本例のブックカバーにおいては、ポケットは本の表紙を差し込むために１つあれば良いので、第２ポケット頂部山折り線Ｙｐｔ２、第２ポケット底部谷折り線Ｔｐｂ２、第３ポケット頂部山折り線Ｙｐｔ３、第３ポケット底部谷折り線Ｔｐｂ３は設けられていない。また、蓋に相当する部分が不要であるので、蓋谷折り線ＴＣが設けられていない。これらの点を除けば、図１９に示すブックカバー作成用シート状材料１０は、図１に示したカードケース作成用シート状材料１と基本的に同じであり、同じ辺、面、及び線には同じ符号を付してある。
【００６５】
図１９（ａ）において、シート状材料１０は、上辺Ｔと下辺Ｂ、及び右辺Ｒと左辺Ｌとがそれぞれ互いに平行で、上辺Ｔと下辺Ｂ、及び右辺Ｒと左辺Ｌの長さが、それぞれ等しく、かつ、上辺Ｔ及び下辺Ｂよりも、左辺Ｌ及び右辺Ｒが長い縦長の長方形状をしているが、必ずしも長方形状に限られる訳ではない。シート状材料１０の形状は、四角形であれば良く、カバーする本の大きさや形状に合わせて、上辺Ｔ及び下辺Ｂと、右辺Ｒ及び左辺Ｌの長さの比は、適宜変更することができる。
【００６６】
また、シート状材料１０は、前述したシート状材料１と同様に、上辺Ｔ、下辺Ｂ，右辺Ｒ、及び左辺Ｌで囲まれる四角形の外側にはみ出す部分を有していても良く、その場合、ブックカバーの作成にあたり、はみ出した部分は、上辺Ｔ、下辺Ｂ、右辺Ｒ、又は左辺Ｌに沿って切断するか、上辺Ｔ、下辺Ｂ，右辺Ｒ、又は左辺Ｌに沿って山折り又は谷折りしてシート状材料１０の外形を四角形状にすれば良い。或いは、はみ出した部分はそのままに、後述する各種の谷折り線及び山折り線を設定して、谷折り又は山折りを実行しても良い。
【００６７】
図中、補助山折り線Ｙｂ、第１ポケット頂部山折り線Ｙｐｔ１、第１ポケット底部谷折り線Ｔｐｂ１、及び中央横山折り線ＹＬ、上部山折り線Ｙｔは、いずれも互いに平行であり、第１側部山折り線Ｙｓ１、第２側部山折り線Ｙｓ２、中央縦山折り線ＹＶは、いずれも、第１ポケット底部谷折り線Ｔｐｂ１に直交している。なお、本例の場合、シート状材料１０は長方形であり、第１ポケット底部谷折り線Ｔｐｂ１は下辺Ｂに平行に設定されているので、第１ポケット底部谷折り線Ｔｐｂ１を含めて、第１ポケット頂部山折り線Ｙｐｔ１、中央横山折り線ＹＬ、及び上部山折り線Ｙｔは、いずれもシート状材料１０の下辺Ｂ又は上辺Ｔに平行であり、第１側部山折り線Ｙｓ１、第２側部山折り線Ｙｓ２、中央縦山折り線ＹＶは、いずれも、シート状材料１０の右辺Ｒ又は左辺Ｌに平行である。なお、Ｔｂは補助谷折り線であり、ブックカバーとなった状態で、カバーする本の一方の表紙を挟み込むためにブックカバーの一端を谷折りするときの谷折り線である。補助谷折り線Ｔｂは、中央横山折り線ＹＬと平行であり、中央横山折り線ＹＬから補助谷折り線Ｔｂまでの長さがカバーする本の一方の表紙を挟み込む折り返し部の長さに相当している。
【００６８】
場合によっては、第１ポケット頂部山折り線Ｙｐｔ１は設けなくても良いし、補助山折り線Ｙｂもなくても良い。ただし、第１ポケット底部谷折り線Ｔｐｂ１よりもシート状材料１０の下辺Ｂに近い位置に第１ポケット頂部山折り線Ｙｐｔ１が設けられている場合には、少なくともポケットの上部で手前側のシート状材料１０が二重になるので、ポケットの耐久性が増し、また、ポケットの入り口部に厚みが加わり、見栄えも良くなるという利点がある。また、第１ポケット頂部山折り線Ｙｐｔ１よりもさらに下辺Ｂに近い側に補助山折り線Ｙｂが設けられている場合には、ポケットの手前側のシート状材料１０が３重になるので、ポケットの耐久性がより高まるとともに、ポケットの手前側下端に厚みが加わり、見栄えもより一層良くなるという利点が得られる。したがって、第１ポケット頂部山折り線Ｙｐｔ１は設けるのが好ましく、補助山折り線Ｙｂも設ける方が良い。
【００６９】
図１９中、Ｌ１７〜Ｌ２７は、それぞれの部分の長さを表している。すなわち、Ｌ１７〜Ｌ２２は、互いに平行な山折り線又は谷折り線間の距離、或いは補助山折り線Ｙｂ又は上部山折り線Ｙｔと下辺Ｂ又は上辺Ｔまでの距離を表している。本例においては、Ｌ１８とＬ１９の長さは等しくＬ１８＝Ｌ１９であるとともに、Ｌ２０とＬ２１の長さも等しく、Ｌ２０＝Ｌ２１である。後述する説明から明らかなとおり、Ｌ２０の長さは、カバーする本の表表紙、背表紙、及び裏表紙の各横方向の長さを加算した長さに、カバーする本の一方の表紙を挟み込む折り返し部の長さＬ２７を加算した長さに選ばれている。
【００７０】
Ｌ２３〜Ｌ２６は、それぞれ、シート状材料１０の左辺Ｌから左辺Ｌに平行な第２側部山折り線Ｙｓ２までの距離、第２側部山折り線Ｙｓ２から中央縦山折り線ＹＶまでの距離、中央縦山折り線ＹＶから第１側部山折り線Ｙｓ１までの距離、及び第１側部山折り線Ｙｓ１から右辺Ｒまでの距離を表している。本例においては、Ｌ２４とＬ２５の長さは等しい。
【００７１】
次に、図２０〜図２７に基づいて、図１９に示すブックカバー作成用シート状材料１０を用いて作成される本発明のブックカバー及びその作成方法を説明する。
【００７２】
図２０は、図１９に示すブックカバー作成用シート状材料１０の下部を、補助山折り線Ｙｂ及び第１ポケット頂部山折り線Ｙｐｔ１に沿って山折りし、さらに、第１ポケット底部谷折り線Ｔｐｂ１に沿って谷折りして、シート状材料１０の表面α側に第１ポケットＰ１が形成された状態を示している。第１ポケット頂部山折り線Ｙｐｔ１と第１ポケット底部谷折り線Ｔｐｂ１までの距離Ｌ１９が第１ポケットＰ１の深さに相当する。
【００７３】
図２１は、第１ポケットＰ１が形成された図２０に示す状態から、第１側部山折り線Ｙｓ１に沿ってシート状材料１０の右側部を山折りし、反対側、すなわち裏面β側に折り返して、側部折り返し部γを形成した状態を示している。第１側部山折り線Ｙｓ１はシート状材料１０の左端側に設定されていても良く、第１側部山折り線Ｙｓ１が、シート状材料１０の左辺Ｌ側に設定されている場合には、シート状材料１０の左側部を山折りし、裏面β側に折り返した部分が側部折り返し部γになることになる。
【００７４】
図２２は、図２１に示す状態、すなわち、第１ポケットＰ１と側部折り返し部γを備えた状態で、シート状材料１０の上部を、中央横山折り線ＹＬに沿って山折りし、裏面β側に折り返すとともに、折り返されたシート状材料１０の先端部（長さＬ２２の部分）を上部山折り線Ｙｔに沿ってさらに山折りした状態を示している。中央横山折り線ＹＬの位置は、中央横山折り線ＹＬに沿ってシート状材料１０の上部を山折りして反対側に折り返したとき、シート状材料１０の先端部がシート状材料１０の下端部よりも下方に飛び出す位置に設定されている。すなわち、本例の場合、中央横山折り線ＹＬの位置は、第１ポケットＰ１と側部折り返し部γが形成された状態で、シート状材料１０の下端部（本例の場合は第１ポケット底部谷折り線Ｔｐｂ１）からシート状材料１０の上端部、すなわち上辺Ｔまでの長さを２等分した位置よりもシート状材料１０の下端部に近い位置に設定されており、（Ｌ２１＋Ｌ２２）＞Ｌ２０の関係にあるので、シート状材料１０の上部を中央横山折り線ＹＬに沿って山折りすると、シート状材料１０の先端部の少なくとも一部はシート状材料１０の下端部よりも下方に飛び出すことになる。上部山折り線Ｙｔは、この飛び出した部分がさらに山折りされる位置に設定されている。本例においては、Ｌ２０＝Ｌ２１とされているので、ちょうどＬ２２の長さに相当する部分がシート状材料１０の下端部である第１ポケット底部谷折り線Ｔｐｂ１よりも下方に飛び出す部分となり、上部山折り線Ｙｔに沿ってさらに山折りされる部分となる。
【００７５】
図２３は、図２２の底面図であり、部分的に２箇所だけ拡大して示してある。図２３に示すとおり、シート状材料１０の下端部は、１つの谷折り線Ｔｐｂ１及び２つの山折り線Ｙｂ及びＹｐｔ１から構成されており、その右側端部が折り返されて側部折り返し部γが形成されている状態にある。このような状態で、側部折り返し部γのうち、上部山折り線Ｙｔに沿ってさらに山折りされた先端部に位置する側部先端折り返し部γｔは、シート状材料１０の下部に位置する側部折り返し部γと係合する位置に差し込まれる。図では、側部先端折り返し部γｔは、側部折り返し部γにおける第１ポケット底部谷折り線Ｔｐｂ１と補助山折り線Ｙｂとの間に差し込まれ、シート状材料１０の下部に位置する側部折り返し部γと安定的に係合する。
【００７６】
なお、側部先端折り返し部γｔを差し込む箇所は、側部先端折り返し部γｔがシート状材料１０の下部に位置する側部折り返し部γと係合する位置であればよく、例えば、シート状材料１０の本体部に位置する第１ポケット底部谷折り線Ｔｐｂ１と、シート状材料１０の側部折り返し部γにおける第１ポケット底部谷折り線Ｔｐｂ１との間であっても良い。ただし、側部先端折り返し部γｔを側部折り返し部γと十分に安定的に係合させるという観点からは、側部先端折り返し部γｔは、側部折り返し部γにおける第１ポケット底部谷折り線Ｔｐｂ１と補助山折り線Ｙｂとの間に差し込まれるのが望ましい。
【００７７】
このとき、係合をより確実なものとするために、差し込まれる側部先端折り返し部γｔの片面若しくは両面、又は、側部先端折り返し部γｔが差し込まれた状態で側部先端折り返し部γｔと接触するシート状材料１０の裏面β又は折り返し部γの部分に糊等の適宜の接着剤を塗布し、両者を係合させた状態で接着するようにしても良い。
【００７８】
図２４は、側部先端折り返し部γｔを、側部折り返し部γにおける第１ポケット底部谷折り線Ｔｐｂ１と補助山折り線Ｙｂとの間に差し込んで、シート状材料１０の下部に位置する側部折り返し部γと係合させた状態を示す右側面図である。シート状材料１０の右側部には、図中ハッチングを付して示すとおり、折り返し部γで囲まれた袋状部δが形成されている。
【００７９】
図２５は、袋状部δが形成された状態で、シート状材料１０の左側を中央縦山折り線ＹＶに沿って山折りし、裏面β側に折り返すとともに、折り返されたシート状材料１０の先端部（長さＬ２３の部分）を第２側部山折り線Ｙｓ２に沿ってさらに山折りした状態を示している。前述したとおり、中央縦山折り線ＹＶの位置は、側部折り返し部γと袋状部δが形成された状態で、シート状材料１０の左右端部間の長さ、すなわち（Ｌ２３＋Ｌ２４＋Ｌ２５）を２等分した位置よりも第１側部山折り線Ｙｓ１に近い位置、換言すれば、中央縦山折り線ＹＶに沿ってシート状材料１０の袋状部δとは反対側の部分を山折りして反対側に折り返したとき、反対側に折り返されたシート状材料１０の側端部が袋状部δより側方に飛び出す位置に設定されており、（Ｌ２３＋Ｌ２４）＞Ｌ２５の関係にあるので、シート状材料１０の左側（すなわち袋状部δとは反対側の部分）を中央縦山折り線ＹＶに沿って山折りすると、山折りされたシート状材料１０の先端部の少なくとも一部はシート状材料１０の右端部（すなわち袋状部δ）よりも側方に飛び出すことになる。第２側部山折り線Ｙｓ２は、この飛び出した部分がさらに山折りされる位置に設定されている。本例においては、Ｌ２４＝Ｌ２５とされているので、ちょうどＬ２３の長さに相当する部分がシート状材料１０の右端部である袋状部δよりも右側に飛び出す部分となり、第２側部山折り線Ｙｓ２に沿ってさらに山折りされ、その山折りされた部分を袋状部δに挿入される。
【００８０】
このとき、挿入状態をより確実なものとするために、挿入する山折りされた先端部の片面若しくは両面、又は、挿入する山折りされた先端部と接触する袋状部δの内面に糊等の適宜の接着剤を塗布し、挿入した状態で両者を接着するようにしても良い。
【００８１】
図２６は、第２側部山折り線Ｙｓ２に沿って山折りした部分を袋状部δ内に挿入した状態を示す図であり、本例のブックカバーＢＣの完成状態を示す正面図である。図２６に示すとおり、ブックカバーＢＣの一方端部には、カバーする本の表表紙又は裏表紙のいずれかを差し込む第１ポケットＰ１が形成されている。なお、Ｔｂは、カバーする本の他方の表紙を挟み込むための補助谷折り線であり、Ｌ２７は、ブックカバーＢＣの第１ポケットＰ１とは反対側の端部、すなわち、中央横山折り線ＹＬから補助谷折り線Ｔｂまでの長さを表している。
【００８２】
図２７は、図２６に示すブックカバーＢＣを用いて、本Ｂをカバーする様子を示した概略図である。カバーする本Ｂの向きと合わせるため、ブックカバーＢＣの向きは図２６に示す位置から反時計方向に９０度回転させてある。図２７に示すとおり、本Ｂの右側に位置する表表紙の先端部分は第１ポケットＰ１内に差し込まれており、この状態で、ブックカバーＢＣの第１ポケットＰ１とは反対側を補助谷折り線Ｔｂに沿って谷折りし、本Ｂの左側に位置する裏表紙の先端部分を挟み込めば良い。
【００８３】
なお、ＬＢ１、ＬＢ２、及びＬＢ３は、それぞれ、本Ｂの裏表紙、背表紙、及び表表紙の横方向の長さである。Ｌ２０の長さは、これら三者の長さ（ＬＢ１、ＬＢ２、ＬＢ３）を加算したものに、補助谷折り線ＴｂからブックカバーＢＣの第１ポケットＰ１とは反対側の端部までの長さ（Ｌ２７）を加算した長さに相当する長さに選ばれている。なお、上記の説明では、図２７において、本Ｂの右側の表紙を表表紙、左側の表紙を裏表紙としたが、逆であっても良いことは勿論である。
【００８４】
上述したように、本例のブックカバーの作成方法及びブックカバー作成用シート状材料は、ポケットの数が１つである点、蓋谷折り線ＴＣ又は蓋山折り線が設定されていない点を除けば、基本的に先に説明したカードケースの作成方法及びカードケース作成用シート状材料と同じである。すなわち、山折り及び谷折りによってポケットを形成する点、側部折り返し部を設ける点、シート状材料の上部を中央横山折り線に沿って山折りし、その先端部を側部折り返し部と係合させて袋状部を形成する点、及びシート状材料の側部を中央縦山折り線に沿って山折りし、その先端部を前記袋状部に差し込む点において、本例のブックカバーの作成方法と先に説明したカードケースの作成方法とは共通しており、基本的に共通する同じ技術思想に基づくものである。
【００８５】
＜ブックカバー−その２−＞
図２８は、本発明のブックカバー作成用シート状材料１０の他の一例を示す図であり、図２８中、（ａ）は平面図、（ｂ）は右側面図を表している。因みに、図２８（ａ）の平面図は、本発明のブックカバーの一例の展開図でもある。
【００８６】
図２８に示すブックカバー作成用シート状材料１０は、中央横山折り線ＹＬよしも下辺Ｂ側に、補助谷折り線Ｔｂに代えて、第２ポケット頂部山折り線Ｙｐｔ２及び第２ポケット底部谷折り線Ｔｐｂ２が中央横山折り線ＹＬに平行に設けられている点を除けば、図１９に示したシート状材料１０と同じである。
【００８７】
Ｌ２８〜Ｌ３９は、それぞれの部分の長さであり、本例においては、Ｌ２９とＬ３０、Ｌ３１とＬ３４、及びＬ３２とＬ３３とが、それぞれ等しい長さとなるように設定されている。なお、第１ポケット底部谷折り線Ｔｐｂ１から第２ポケット底部谷折り線Ｔｐｂ２までの長さＬ３１は、カバーする本の表表紙、背表紙、及び裏表紙の各横方向の長さを加算した長さとなるように選ばれている。
【００８８】
図２８に示すブックカバー作成用シート状材料を用いてブックカバーを作成する方法は、基本的に先に説明した図１９に示すブックカバー作成用シート状材料を用いてブックカバーを作成する方法と同じであるが、本例のシート状材料１０を用いてブックカバーを作成する場合、シート状材料１０の下部を第１ポケット頂部山折り線Ｙｐｔ１及び第１ポケット底部谷折り線Ｔｐｂ１に沿って山折り及び谷折りして第１ポケットＰ１を作成するに加えて、図２９に示すように、シート状材料１０の中程を、第２ポケット頂部山折り線Ｙｐｔ２に沿って山折りするとともに、第２ポケット底部谷折り線Ｔｐｂ２に沿って谷折りして、シート状材料１０の上辺Ｔと下辺Ｂとの間に第２ポケットＰ２を作成する。図２９に示すとおり、第１ポケット頂部山折り線Ｙｐｔ１と第１ポケット底部谷折り線Ｔｐｂ１との間の長さＬ３０が第１ポケットｐ１の深さになり、第２ポケット頂部山折り線Ｙｐｔ２から第２ポケット底部谷折り線Ｔｐｂ２までの長さＬ３２が第２ポケットＰ２の深さになる。
【００８９】
図３０は、図２９に示す状態から、シート状材料１０の右端部を第１側部山折り線Ｙｓ１に沿って山折りし、側部折り返し部γを形成した状態を示している。側部折り返し部γがシート状材料１０の左側端部に形成されても良いことは、先に述べたカードケースやブックカバーにおけると同様である。
【００９０】
図３１は、図３０に示す状態から、シート状材料１０の上部を中央横山折り線ＹＬに沿って山折りし、さらに、シート状材料１０の下端部から飛び出した部分を頂部山折り線Ｙｔに沿って山折りして、先に形成されている側部折り返し部γと係合させた状態を示している。この状態で、シート状材料１０の側部折り返し部γが形成されている側の側部には、周囲を側部折り返し部γで囲まれた袋状部δが形成されている。
【００９１】
図３２は、ブックカバーＢＣの正面図であり、図３１に示す状態から、シート状材料１０の袋状部δが形成されているのとは反対側を中央縦山折り線ＹＶに沿って山折りし、さらに、シート状材料１０の右側部から飛び出した部分を第２側部山折り線Ｙｓ２に沿って山折りして、その先端部を袋状部δの中に挿入することによってブックカバーＢＣを完成させた状態を示している。
【００９２】
図３３は、図３２に示すブックカバーＢＣを用いて、本Ｂをカバーする様子を示した概略図である。カバーする本Ｂの向きと合わせるため、ブックカバーＢＣの向きは図３２に示す位置から反時計方向に９０度回転させてある。図３３に示すとおり、本Ｂの右側に位置する表表紙の先端部分は第１ポケットＰ１内に差し込まれており、左側に位置する裏表紙の先端部分は第２ポケットＰ２内に差し込まれている。このように、本例のブックカバーＢＣによれば、本Ｂの表裏両表紙の先端部分をポケットに差し込むことができるので、ブックカバーＢＣと本Ｂとの一体感が増し、本ＢからブックカバーＢＣが外れ難いという利点が得られる。また、図３３から明らかなとおり、Ｌ３１の長さは、本Ｂの裏表紙、背表紙、及び表表紙の横方向の長さであるＬＢ１、ＬＢ２、ＬＢ３を加算した長さに相当している。
【００９３】
上述したとおり、本例のブックカバーの作成方法及びブックカバー作成用シート状材料は、ポケットの位置が異なる点、蓋谷折り線ＴＣ又は蓋山折り線が設定されていない点を除けば、基本的に先に説明したカードケースの作成方法及びカードケース作成用シート状材料並びにブックカバーの作成方法及びブックカバー作成用シート状材料と同じである。すなわち、本発明のカードケース及びその作成方法と、本発明のブックカバー及びその作成方法とは、山折り及び谷折りによってポケットを形成する点、側部折り返し部を設ける点、シート状材料の上部を中央横山折り線に沿って山折りし、その先端部を側部折り返し部と係合させて袋状部を形成する点、及びシート状材料の側部を中央縦山折り線に沿って山折りし、その先端部を前記袋状部に差し込む点において、相互に共通しており、基本的に特徴的な技術的構成を共通するものである。
【産業上の利用可能性】
【００９４】
上述したとおり、本発明のカードケース並びにカードケース作成用状シート状材料、更にはカードケースの作成方法によれば、身近にあり、誰でもが比較的容易に入手できる紙、布、合成樹脂シートなどの材料を用いて、簡単な操作でカードケースを作成することができ、また、適宜の箇所に適宜の装飾を施すことも容易である。本発明のブックカバー並びにブックカバー作成用シート状材料、更にはブックカバーの作成方法についても同様である。本発明は、日常生活にアクセントを与え、より快適かつ創造性に富んだ毎日を過ごす一助として、優れた産業上の利用可能性を有している。
【符号の説明】
【００９５】
１、１０          シート状材料
Ｔ、Ｂ、Ｒ、Ｌ    シート状材料の上辺、下辺、右辺、左辺
α、β            シート状材料の表面、裏面
Ｙｐｔ１〜３      第１〜第３ポケット頂部山折り線
Ｔｐｂ１〜３      第１〜第３ポケット底部谷折り線
Ｙｓ１、Ｙｓ２    第１、第２側部山折り線
ＹＬ              中央横山折り線
ＹＶ              中央縦山折り線
Ｙｍ１、Ｙｍ２    第１、第２マチ部山折り線
Ｔｍ１、Ｔｍ２    第１、第２マチ部谷折り線
γ                側部折り返し部
δ                袋状部
ＣＣ              カードケース
ＢＣ              ブックカバー
Ｂ                本
【図１】
2018039131.tif 000003
【図２】
2018039131.tif 000004
【図３】
2018039131.tif 000005
【図４】
2018039131.tif 000006
【図５】
2018039131.tif 000007
【図６】
2018039131.tif 000008
【図７】
2018039131.tif 000009
【図８】
2018039131.tif 000010
【図９】
2018039131.tif 000011
【図１０】
2018039131.tif 000012
【図１１】
2018039131.tif 000013
【図１２】
2018039131.tif 000014
【図１３】
2018039131.tif 000015
【図１４】
2018039131.tif 000016
【図１５】
2018039131.tif 000017
【図１６】
2018039131.tif 000018
【図１７】
2018039131.tif 000019
【図１８】
2018039131.tif 000020
【図１９】
2018039131.tif 000021
【図２０】
2018039131.tif 000022
【図２１】
2018039131.tif 000023
【図２２】
2018039131.tif 000024
【図２３】
2018039131.tif 000025
【図２４】
2018039131.tif 000026
【図２５】
2018039131.tif 000027
【図２６】
2018039131.tif 000028
【図２７】
2018039131.tif 000029
【図２８】
2018039131.tif 000030
【図２９】
2018039131.tif 000031
【図３０】
2018039131.tif 000032
【図３１】
2018039131.tif 000033
【図３２】
2018039131.tif 000034
【図３３】
2018039131.tif 000035